(57)【要約】【解決手段】桁３、４、５内に、有底の箱体として形成されたＩＤタグホルダー収納部材Ｃ１、Ｃ２、Ｃ３を配設し、該ＩＤタグホルダー収納部材に、該ＩＤタグホルダー収納部材と係合状態に、ＩＤタグホルダー部材Ｈ１、Ｈ２、Ｈ３を収容するようにしたものである。【効果】ＩＤタグホルダー部材が収容されるＩＤタグホルダー収納部材は、有底の箱体として形成されているので、ＩＤタグホルダー部材が、合成樹脂製パレットから落下するようなことを防止することができる。【選択図】図１３
2005280784.tif 000002
【特許請求の範囲】
【請求項１】
桁内に、有底の箱体として形成されたＩＤタグホルダー収納部材を配設し、前記ＩＤタグホルダー収納部材に、前記ＩＤタグホルダー収納部材と係合状態に、ＩＤタグホルダー部材を収容するようにしたことを特徴とする合成樹脂製パレット。
【発明の詳細な説明】
【技術分野】
【０００１】
本発明は、物品の運搬、移送、保管等に使用される合成樹脂製パレット、特に、合成樹脂製パレットのサイズや材質や所有者等の合成樹脂製パレット自体に関する情報及び合成樹脂製パレットに載置される物品の種類や個数や行き先等の物品自体に関する情報等の種々の情報が蓄積されたＩＤタグが取り付け可能な合成樹脂製パレットに関するものである。
【背景技術】
【０００２】
従来、ＩＤタグを、合成樹脂製パレットの側面部やデッキボードを構成する相対する桟間に吊り下げるようにした合成樹脂製パレットが、一例として、特許文献１に開示されている。
【特許文献１】特開平９−２５４９８３号公報
【発明の開示】
【発明が解決しようとする課題】
【０００３】
上述した従来の合成樹脂製パレットにおいて、ＩＤタグを、合成樹脂製パレットの側面部に取り付けた場合においては、フォークや合成樹脂製パレット同士等が接触して、ＩＤタグが損傷し易いという問題があった。また、ＩＤタグを、合成樹脂製パレットの相対する桟間に吊り下げた場合には、合成樹脂製パレットの取り扱い時の衝撃や桟間に積載物が落ち込んだ時に、ＩＤタグが落下等して外れ易いという問題があった。
【０００４】
本発明の目的は、上述した従来の合成樹脂製パレットが有する課題を解決することにある。
【課題を解決するための手段】
【０００５】
本発明は、上述した目的を達成するために、合成樹脂製パレットの桁内に、有底の箱体として形成されたＩＤタグホルダー収納部材を配設し、該ＩＤタグホルダー収納部材に、該ＩＤタグホルダー収納部材と係合状態に、ＩＤタグホルダー部材を収容するようにしたものである。
【発明の効果】
【０００６】
上述したように、ＩＤタグホルダー部材が収容されるＩＤタグホルダー収納部材は、有底の箱体として形成されているので、ＩＤタグホルダー部材が、合成樹脂製パレットから落下するようなことを防止することができる。
【０００７】
また、ＩＤタグホルダー収納部材に、ＩＤタグホルダー収納部材と係合状態に、ＩＤタグホルダー部材を収容するようにしたので、ＩＤタグホルダー部材が、ＩＤタグホルダー収納部材から抜け出るようなことを防止することができる。
【実施例】
【０００８】
以下に、本発明の実施例について説明するが、本発明の趣旨を越えない限り、何ら、本実施例に限定されるものではない。なお、以下においては、一体成形された合成樹脂製パレットを例に、本発明の実施例について説明するが、一体成形された合成樹脂製パレットに限らず、同一形状に成形された半割り形状のスキッドを溶着したタイプの合成樹脂製パレット等に適用することもでき、更には、片面使用或いは両面使用の合成樹脂製パレットに適用することもできる。
【０００９】
図１に示されているように、合成樹脂製パレットは、上部デッキ１と、下部デッキ２と、上部デッキ１と下部デッキ２の四隅同士を連結する隅桁３と、上部デッキ１と下面デッキ２の各辺部の中間を連結する中間桁４と、上部デッキ１と下面デッキ２の中央部を連結する中央桁５とにより形成されている。また、隅桁３と中間桁４との間及び中間桁４と中央桁５との間には、フォークが挿通可能なフォーク挿入通路６が形成されている。
【００１０】
次に、図２〜図４を用いて、略角筒状の外周壁３ａを有する隅桁３内に形成されたＩＤタグホルダー収納部材Ｃ１について説明する。
【００１１】
略角筒状の外周壁３ａを有する隅桁３内に形成されたＩＤタグホルダー収納部材Ｃ１は、隅桁３の天部３ｂに穿設された、平面形状が方形状の挿入用開口ｃ１と、挿入用開口ｃ１を囲むように配設された一方の相対する側壁ｃ２、ｃ２と、もう一方の相対する側壁ｃ３、ｃ３と、底板ｃ４とを有している。なお、本実施例には、一例として、一方の相対する側壁ｃ２、ｃ２は、もう一方の相対する側壁ｃ３、ｃ３に比べて、幅広に形成されているので、以下においては、便宜的に、幅の広い一方の相対する側壁ｃ２、ｃ２を、幅広側壁ｃ２、ｃ２と称し、幅の狭いもう一方の相対する側壁ｃ３、ｃ３を、幅狭側壁ｃ３、ｃ３と称する。なお、本実施例においては、相対する幅広側壁ｃ２、ｃ２のうちの１つは、隅桁３の外周壁３ａの一部により構成されている。
【００１２】
上述したように、隅桁３内に形成されたＩＤタグホルダー収納部材Ｃ１は、相対する幅広側壁ｃ２、ｃ２と相対する幅狭側壁ｃ３、ｃ３と底板ｃ４とにより構成されているとともに、上部に、挿入用開口ｃ１を有する有底の箱体として形成されている。ＩＤタグホルダー収納部材Ｃ１の深さ、換言すれば、底板ｃ４の挿入用開口ｃ１からの位置は、収納されるＩＤタグホルダーの高さに応じて、適宜、設定することができるが、隅桁３の外周壁３ａの下端３ａ１と底板ｃ４の裏面ｃ４ａとの間には、所定の間隙Ｄ１が形成されている。
【００１３】
ＩＤタグホルダー収納部材Ｃ１を形成する底板ｃ４には、幅広側壁ｃ２、ｃ２に沿った相対する長辺７ａと、幅狭側壁ｃ３、ｃ３に沿った相対する短辺７ｂとからなる長方形状の透孔７が穿設されており、また、幅広側壁ｃ２、ｃ２の略中央部には、それぞれ、透孔７に連通された切欠き部７ｃが形成されている。
【００１４】
なお、本実施例においては、隅桁３内に２個のＩＤタグホルダー収納部材Ｃ１が形成されている例が示されているが、１個或いは３個以上、形成することもできるし、このような、ＩＤタグホルダー収納部材Ｃ１を、中間桁４や中央桁５に形成することもできる。
【００１５】
次に、図５〜図８を用いて、上述したＩＤタグホルダー収納部材Ｃ１内に収納されるＩＤタグホルダー部材Ｈ１について説明する。
【００１６】
ＩＤタグホルダー部材Ｈ１は、射出成形等により、略方形状の平坦な平板状の板材Ｈ１ａとして、合成樹脂で一体に成形されている。そして、平板状の板材Ｈ１ａの一方の面Ｈ１ｂに、板材Ｈ１ａの一方の相対する辺に平行な２条の溝ｈ１’を形成することにより、板材Ｈ１ａには、薄肉ヒンジ部ｈ１が形成されるとともに、板材Ｈ１ａは、薄肉ヒンジ部ｈ１に挟まれた中央板部ｈ２と、中央板部ｈ２の両側に位置する同じ大きさの側板部ｈ３、ｈ４とに区画されている。
【００１７】
ｈ５は、２条の溝ｈ１’が形成されている面Ｈ１ｂと反対側の面Ｈ１ｃで、且つ、溝ｈ１’の略中央部に、所定の間隔を置いて形成された当接突起である。本実施例においては、当接突起ｈ５は、三角柱状に形成されており、その軸線が、溝ｈ１’に沿って位置するように配設されているとともに、側板部ｈ３、ｈ４側の当接突起ｈ５の側面ｈ５ａが、平坦な板材Ｈ１ａの溝ｈ１’が形成されている面Ｈ１ｂと反対側の面Ｈ１ｃに対して略垂直となるように構成されている。平坦な板材Ｈ１ａの高さは、上述したＩＤタグホルダー収納部材Ｃ１の深さ、換言すれば、挿入用開口ｃ１から底板ｈ４までの深さより、低く形成されている。
【００１８】
Ｔは、一方の側板部ｈ３の当接突起ｈ４が形成されている面Ｈ１ｃに配設されているＩＤタグホルダーである。ＩＤタグホルダーＴは、面Ｈ１ｃに垂直で、且つ、互いに平方に相対して立設された上部板ｔ１と下部板ｔ２と、同じく、面Ｈ１ｃに垂直で、且つ、上部板ｔ１と下部板ｔ２の薄肉ヒンジ部ｈ１側に位置する端部同士を連結する垂直板ｔ３とを有している。上部板ｔ１の先端の略中央部には、下方に延在する係止片ｔ１ａが垂設されており、また、下部板ｔ２の先端の略中央部には、上方に延在する係止片ｔ２ａが立設されており、更に、垂直板ｔ３の先端の略中央部には、側板部ｈ３の垂直端ｈ３ａ方向に延在する係止片３ａが形成されている。
【００１９】
また、コの字状に形成されている上部板ｔ１と下部板ｔ２と垂直板ｔ３とにより囲まれた側板部ｈ３には、上部板ｔ１に沿った上部スリット部ｓ１と、下部板ｔ２に沿った下部スリット部ｓ２と、上部スリット部ｓ１及び下部スリット部ｓ２の側板部ｈ３の垂直端ｈ３ａ側の端部を連結する垂直スリット部ｓ３とから形成されたコの字状のスリットＳ１が形成されている。上部板ｔ１と下部板ｔ２と垂直板ｔ３とにより囲まれた側板部ｈ３に、このようなコの字状のスリットＳ１を形成することにより、上部板ｔ１と下部板ｔ２と垂直板ｔ３とにより囲まれた側板部ｈ３には、弾性舌片ｔ４が形成されており、また、弾性舌片ｔ４の自由端には、垂直板ｔ３と略平行な垂直片ｔ４ａ’が立設されており、更に、垂直片ｔ４ａ’の先端には、垂直板ｔ３の先端に形成されている係止突部ｔ３ａ方向に延在する係止突部ｔ４ａが形成されている。
【００２０】
ｈ３ｂは、ＩＤタグホルダー部材Ｈ１を、射出成形により一体成形する際に、垂直板ｔ３の先端に形成されている係止突部ｔ３ａを形成するために、側板部ｈ３に穿設された金型の抜き孔であり、また、ｔ４ｂは、同じく、ＩＤタグホルダー部材Ｈ１を、射出成形により一体成形する際に、弾性舌片ｔ４の垂直片ｔ４ａ’の先端に形成されている係止突部ｔ４ａを形成するために、弾性舌片ｔ４に穿設された金型の抜き孔である。なお、ＩＤタグホルダー部材Ｈ１を、射出成形により一体成形する際の上部板ｔ１の先端に形成されている係止片ｔ１ａを形成するための金型の抜き孔は、上部スリット部ｓ１が兼用しており、同様に、ＩＤタグホルダー部材Ｈ１を、射出成形により一体成形する際の下部板ｔ２の先端に形成されている係止片ｔ２ａを形成するための金型の抜き孔は、下部スリット部ｓ２が兼用している。
【００２１】
なお、本実施例には、側板部ｈ３の当接突起ｈ４が形成されている面Ｈ１ｃに、上下方向に３個のＩＤタグホルダーＴが形成されている例が示されているが、側板部ｈ３に、必要に応じて、適当数のＩＤタグホルダーＴを形成することができる。
【００２２】
ＩＤタグホルダーＴに、一例としての円盤状のＩＤタグ８を取り付けるには、先ず最初に、弾性舌片ｔ４の自由端を下方に押して、垂直片ｔ４ａ’の先端に形成されている係止突部ｔ３ａを、側板部ｈ３付近まで或いはそれ以下まで下げることにより、側板部ｈ３と上部板ｔ１と下部板ｔ２とにより、挿入口を形成する。次いで、円盤状のＩＤタグ８を、側板部ｈ３に当接するとともに、垂直板ｔ３方向にスライドさせて、円盤状のＩＤタグ８の周縁部を、垂直板ｔ３に形成されている係止突部ｔ３ａの下方と上部板ｔ１に形成されている係止片ｔ１ａの下方と下部板ｔ２に形成されている係止片ｔ２ａの下方に配置し、その後、弾性舌片ｔ４の復元力により、弾性舌片ｔ４を、元の状態に戻すことにより、更に、弾性舌片ｔ４の垂直片ｔ４ａ’の先端に形成されている係止突部ｔ４ａの下方に、円盤状のＩＤタグ８の周縁部を配置することにより、ＩＤタグホルダーＴに、円盤状のＩＤタグ８が取り付けられるように構成されている。
【００２３】
Ｂ１は、ＩＤタグホルダー部材Ｈ１が形成されていない、もう一方の側板部ｈ４の下端部に配設された係止ブロックであり、係止ブロックＢ１は、側板部ｈ４の当接突起ｈ４が形成されている面Ｈ１ｃに、該面Ｈ１ｃに垂直に連接された上部水平部ｂ１と、上部水平部ｂ１の先端に垂設された垂直部ｂ２と、垂直部ｂ２の下端から、側板部ｈ４方向に延在する下部水平部ｂ３とから構成されている。下部水平部ｂ３は、側板部ｈ４の面Ｈ１ｃを下方に延長した仮想面付近まで延在しており、上部水平部ｂ１と垂直部ｂ２と下部水平部ｂ３とにより、凹部ｂ４が形成されている。
【００２４】
次に、図５〜図８及び図１０〜図１４を用いて、ＩＤタグホルダー部材Ｈ１のＩＤタグホルダー収納部材Ｃ１への収納について説明する。
【００２５】
先ず最初に、ＩＤタグホルダーＴにＩＤタグ８が取り付けられた状態の図５に示されている平板状の板材Ｈ１ａを、２条の溝ｈ１’が外側に位置し、ＩＤタグホルダーＴや当接突起ｈ４が内側に位置するように、薄肉ヒンジ部ｈ１において、強制的に折り曲げることにより、図８や図１０に示されているように、中央板部ｈ２に対して、中央板部ｈ２の両側に位置する側板部ｈ３、ｈ４が、略垂直になるように、換言すれば、平面形状が、略コの字状にする。平板状の板材Ｈ１ａを、平面形状が、略コの字状に折り曲げることにより、換言すれば、中央板部ｈ２の両側に位置する側板部ｈ３、ｈ４を、側板部ｈ３、ｈ４が、中央板部ｈ２に対して、略垂直になるように折り曲げることにより、中央板部ｈ２の両側に位置する側板部ｈ３、ｈ４が、当接突起ｈ５の面Ｈ１ｃと略垂直な側面ｈ５ａに、当接するように構成されている。
【００２６】
上述したように、中央板部ｈ２の両側に位置する側板部ｈ３、ｈ４が、中央板部ｈ２に対して、略垂直になるように、薄肉ヒンジ部ｈ１において折り曲げられたＩＤタグホルダー部材Ｈ１を、隅桁３内に形成されたＩＤタグホルダー収納部材Ｃ１の挿入用開口ｃ１から挿入する。その後、ＩＤタグホルダー部材Ｈ１の係止ブロックＢ１が、ＩＤタグホルダー収納部材Ｃ１の底部ｃ４に当接した時点、或いは、それ以前に、中央板部ｈ２に対して略垂直な、係止ブロックＢ１が配設されている側板部ｈ４を、ＩＤタグホルダーＴが配設されている側板部ｈ３方向に回動させることにより、図１１に示されているように、側板部ｈ４に配設されている係止ブロックＢ１を、ＩＤタグホルダー収納部材Ｃ１の底部ｃ４に穿設されている透孔７の上に位置させる。
【００２７】
その後、更に、ＩＤタグホルダー部材Ｈ１を下降させると、側板部ｈ４に配設されている係止ブロックＢ１が、ＩＤタグホルダー収納部材Ｃ１の底部ｃ４に穿設されている透孔７に挿入されることになる。側板部ｈ４に配設されている係止ブロックＢ１が、ＩＤタグホルダー収納部材Ｃ１の底部ｃ４に穿設されている透孔７に挿入された状態では、図１１に示されているように、中央板部ｈ２と係止ブロックＢ１が配設されている側板部ｈ４とのなす角θ１は鋭角状態であり、係止ブロックＢ１が配設されている側板部ｈ４は、当接突起ｈ５の略垂直な側面ｈ５ａに押し付けられることになる。従って、ＩＤタグホルダー部材Ｈ１から手を離すと、薄肉ヒンジ部ｈ１を介して、強制的に折り曲げられている側板部ｈ３、ｈ４が、平坦な平板状の板材Ｈ１ａに戻ろうとする復元力及び中央板部ｈ２と係止ブロックＢ１が配設されている側板部ｈ４とのなす角θ１が鋭角になるように、当接突起ｈ５に押し付けられた側板部ｈ４の反発力により、係止ブロックＢ１が配設されている側板部ｈ４は、一方の薄肉ヒンジ部ｈ１を中心に、ＩＤタグホルダー収納部材Ｃ１を構成する、隅桁３の外周壁３ａの一部として形成されている幅広側壁ｃ２方向に、回動することになる。
【００２８】
上述した係止ブロックＢ１が配設されている側板部ｈ４の幅広側壁ｃ２方向への回動により、係止ブロックＢ１の垂直部ｂ２が、ＩＤタグホルダー収納部材Ｃ１の底部ｃ４に穿設されている透孔７に連通されている切欠き部７ｃに挿入され、中央板部ｈ２に対して、係止ブロックＢ１が配設されている側板部ｈ４が略垂直状態になるとともに、上部水平部ｂ１と垂直部ｂ２と下部水平部ｂ３とにより形成された係止ブロックＢ１の凹部ｂ４に、ＩＤタグホルダー収納部材Ｃ１の底部ｃ４が挿入され、係止ブロックＢ１と底部ｃ４との係合状態が形成されることになり、従って、ＩＤタグホルダー部材Ｈ１が、ＩＤタグホルダー収納部材Ｃ１から抜け出るようなことが防止できる。このようにして、図１２や図１３に示されているように、ＩＤタグホルダー部材Ｈ１が、ＩＤタグホルダー収納部材Ｃ１に収容されることになる。また、ＩＤタグホルダー部材Ｈ１が、ＩＤタグホルダー収納部材Ｃ１に収容された際には、係止ブロックＢ１を構成する下部水平部ｂ３は、隅桁３の外周壁３ａの下端３ａ１と底板ｃ４の裏面ｃ４ａとの間に形成された間隙Ｄ１内に位置し、隅桁３の外周壁３ａの下端３ａ１を越えて、下方に延在しないように構成されている。
【００２９】
ＩＤタグホルダー収納部材Ｃ１に収容されているＩＤタグホルダー部材Ｈ１を、ＩＤタグホルダー収納部材Ｃ１から取り出すには、係止ブロックＢ１が配設されている側板部ｈ４を、ＩＤタグホルダーＴが配設されている側板部ｈ３方向に回動させて、側板部ｈ４に配設されている係止ブロックＢ１を、ＩＤタグホルダー収納部材Ｃ１の底部ｃ４に穿設されている透孔７の位置させて、係止ブロックＢ１の凹部ｂ４からＩＤタグホルダー収納部材Ｃ１の底部ｃ４を排出させ、その後、ＩＤタグホルダー部材Ｈ１を持ち上げることにより、ＩＤタグホルダー部材Ｈ１を、ＩＤタグホルダー収納部材Ｃ１から取り出すことができるように構成されている。
【００３０】
上述したように、ＩＤタグホルダー収納部材Ｃ１に収容されたＩＤタグホルダー部材Ｈ１は、ＩＤタグホルダー収納部材Ｃ１の底部ｃ４に載置されるように構成されているので、ＩＤタグホルダー部材Ｈ１が、合成樹脂製パレットから落下するようなことがない。
【００３１】
また、係止ブロックＢ１に形成されている凹部ｂ４に、ＩＤタグホルダー収納部材Ｃ１の底部ｃ４が挿入されるように構成されているので、ＩＤタグホルダー部材Ｈ１が、ＩＤタグホルダー収納部材Ｃ１から抜け出るようなことが防止できる。なお、上述した透孔７は、ＩＤタグホルダー収納部材Ｃ１に入り込んだ洗浄液や雨水の排水口としても機能する。
【００３２】
次に、図１５〜図１８を用いて、他の実施例について説明する。
【００３３】
この実施例のＩＤタグホルダー部材Ｈ２は、上述した実施例のＩＤタグホルダー部材Ｈ１に配設されている係止ブロックＢ１が省略されているとともに、上述した実施例のＩＤタグホルダー部材Ｈ１の中央板部ｈ２の上端に、上述した薄肉ヒンジ部ｈ１を介して、係止帯状片ｈ６が連接されている点が、上述した実施例のＩＤタグホルダー部材Ｈ１と相違し、それ以外は、上述した実施例のＩＤタグホルダー部材Ｈ１と同じ構成を有しているので、上述した実施例のＩＤタグホルダー部材Ｈ１と同じ構成については、その詳細な説明は省略する。
【００３４】
図１６に示されているように、ＩＤタグホルダー部材Ｈ２の中央板部ｈ２とその両端部に位置する側板部ｈ３、ｈ４とを、平面形状が、略コの字状に配置するとともに、上述した係止帯状片ｈ６を、薄肉ヒンジ部材ｈ１を中心に、略水平状態にした際には、係止帯状片ｈ６は、その先端部ｈ６ａが、側板部ｈ３、ｈ４を越えて延在するように構成されている。
【００３５】
また、本実施例のＩＤタグホルダー収納部材Ｃ２は、上述した実施例のＩＤタグホルダー収納部材Ｃ１とは、ＩＤタグホルダー収納部材Ｃ１を形成する幅狭側壁ｃ３、ｃ３の上端部に、横長の係止帯状片挿入用スリットＳ２が穿設されている以外は、上述した実施例のＩＤタグホルダー収納部材Ｃ１と同じ構成を有しているので、上述した実施例のＩＤタグホルダー収納部材Ｃ１と同じ構成については、その詳細な説明は省略する。なお、係止帯状片挿入用スリットＳ２は、幅狭側壁ｃ３、ｃ３の一方にのみ、穿設することも、また、両方に穿設することもできる。なお、ＩＤタグホルダー部材Ｈ２の係止帯状片挿入用スリットＳ２の方向性を考慮しないで、ＩＤタグホルダー部材Ｈ２を、ＩＤタグホルダー収納部材Ｃ２に挿入することができるように、幅狭側壁ｃ３、ｃ３の両方に、係止帯状片挿入用スリットＳ２を穿設することが好ましい。
【００３６】
ＩＤタグホルダー部材Ｈ２を、ＩＤタグホルダー収納部材Ｃ２に取り付けるには、上述した実施例と同様に、中央板部ｈ２の両側に位置する側板部ｈ３、ｈ４が、中央板部ｈ２に対して、略垂直になるように、薄肉ヒンジ部ｈ１において折り曲げられたＩＤタグホルダー部材Ｈ２を、隅桁３内に形成されたＩＤタグホルダー収納部材Ｃ２の挿入用開口ｃ１から挿入し、その後、係止帯状片ｈ６の先端部ｈ６ａを、ＩＤタグホルダー収納部材Ｃ２を形成する幅狭側壁ｃ３、ｃ３の上端部に穿設された係止帯状片挿入用スリットＳ２に挿入することにより、ＩＤタグホルダー部材Ｈ２を、ＩＤタグホルダー収納部材Ｃ２内に収容する。
【００３７】
なお、この実施例においては、ＩＤタグホルダー収納部材Ｃ２の底板ｃ４には、必ずしも、透孔７を穿設する必要はないが、ＩＤタグホルダー収納部材Ｃ２に入り込んだ洗浄液や雨水の排水口としても機能するので、底板ｃ４には、透孔７を穿設することが好ましい。
【００３８】
上述したように、ＩＤタグホルダー収納部材Ｃ２に収容されたＩＤタグホルダー部材Ｈ２は、ＩＤタグホルダー収納部材Ｃ２の底部ｃ４に載置されるように構成されているので、ＩＤタグホルダー部材Ｈ２が、合成樹脂製パレットから落下するようなことがない。
【００３９】
また、ＩＤタグホルダー部材Ｈ２の係止帯状片ｈ６の先端部ｈ６ａが、ＩＤタグホルダー収納部材Ｃ２を形成する幅狭側壁ｃ３、ｃ３の上端部に穿設された係止帯状片挿入用スリットＳ２に挿入されるように構成されているので、ＩＤタグホルダー部材Ｈ２が、ＩＤタグホルダー収納部材Ｃ２から抜け出るようなことが防止できる。
【００４０】
次に、図１９〜図２２を用いて、更に他の実施例について説明する。
【００４１】
この実施例においては、ＩＤタグホルダー部材Ｈ３は、縦長の中央板部ｈ７と、中央板部ｈ７の両垂直端に連接された、一対の同じく縦長の側板部ｈ８とから、その平面形状が、略Ｈ状に形成されている。
【００４２】
中央板部ｈ７の下端には、所定の間隔を置いて、一対の係止部材９が垂設されている。係止部材９は、中央板部ｈ７の下端に垂設された、弾性変形可能な垂直部９ａと、垂直部９ａの下端から、側板部ｈ８方向に延在する水平部９ｂとから構成されている。また、水平部９ｂの先端部の下面には、先端方向に向かって、上方に傾斜した傾斜面９ｂ１が形成されている。更に、中央板部ｈ７の片面或いは両面には、上述した実施例の側板部ｈ３に配設されているＩＤタグホルダーＴが配設されている。
【００４３】
また、ＩＤタグホルダー部材Ｈ３が収容されるＩＤタグホルダー収納部材Ｃ３は、上述した図２〜図４に示されているＩＤタグホルダー収納部材Ｃ１と同じ構成を有しているので、その詳細な説明は省略する。
【００４４】
ＩＤタグホルダー部材Ｈ３の一対の側板部ｈ８間の間隔は、ＩＤタグホルダー収納部材Ｃ３の相対する幅狭側壁ｃ３、ｃ３間の間隔より、狭く形成されており、また、側板部ｈ８の幅も、ＩＤタグホルダー収納部材Ｃ３の相対する幅広側壁ｃ２、ｃ２間の間隔より、狭く形成されている。
【００４５】
ＩＤタグホルダー部材Ｈ３を、ＩＤタグホルダー収納部材Ｃ３に取り付けるには、ＩＤタグホルダー部材Ｈ３を、ＩＤタグホルダー収納部材Ｃ３に挿入し、ＩＤタグホルダー部材Ｈ３の中央板部ｈ７の下端に垂設されている係止部材９の水平部９ｂに形成されている傾斜面９ｂ１を、ＩＤタグホルダー収納部材Ｃ３の底板ｃ４に穿設されている透孔７の短辺７ｂに当接させる。その後、ＩＤタグホルダー部材Ｈ３を、更に、押し込むと、相対する弾性変形可能な垂直部９ａが、互いに、接近する方向に弾性変形し、係止部材９の水平部９ｂが、透孔７に入り込むとともに、水平部９ｂが、底板ｃ４の裏面ｃ４ａを越えた時点で、垂直部９ａが、その弾性により、互いに離れる方向に弾性変形し、係止部材９の水平部９ｂが、底板ｃ４の裏面ｃ４ａに入り込み、ＩＤタグホルダー部材Ｈ３の係止部材９が、ＩＤタグホルダー収納部材Ｃ３の底板ｃ４に係止され、ＩＤタグホルダー部材Ｈ３が、ＩＤタグホルダー収納部材Ｃ３から抜け出るようなことが防止できる。
【００４６】
上述したように、ＩＤタグホルダー収納部材Ｃ３に収容されたＩＤタグホルダー部材Ｈ３は、ＩＤタグホルダー収納部材Ｃ３の底部ｃ４に載置されるように構成されているので、ＩＤタグホルダー部材Ｈ３が、合成樹脂製パレットから落下するようなことがない。
【００４７】
図２３及び図２４には、ＩＤタグホルダー収納部材Ｃ１の挿入用開口ｃ１を、蓋体Ｒで被蓋する実施例が示されている。
【００４８】
隅桁３内に形成されたＩＤタグホルダー収納部材Ｃ１を構成する、相対する幅狭側壁ｃ３、ｃ３の上端部には、それぞれ、所定の間隔で、係合凹部或いは係合孔１０が形成されている。一方、ＩＤタグホルダー収納部材Ｃ１の挿入用開口ｃ１と略同じ大きさ長方形状の板材ｒ１からなる蓋体Ｒの相対する短辺側端部ｒ１ａには、それぞれ、所定の間隔で、上記の係合凹部或いは係合孔１０に嵌合可能な嵌合片ｒ２が突設されている。
【００４９】
ＩＤタグホルダー収納部材Ｃ１の挿入用開口ｃ１に、板材ｒ１を挿入するとともに、ＩＤタグホルダー収納部材Ｃ１を構成する幅狭側壁ｃ３、ｃ３の上端部に形成されている係合凹部或いは係合孔１０に、蓋体Ｒを構成する板材ｒ１の短辺側端部ｒ１ａに突設されている嵌合片ｒ２を嵌入させることにより、図２４に示されているように、ＩＤタグホルダー収納部材Ｃ１の挿入用開口ｃ１を、蓋体Ｒで被蓋するように構成されている。
【００５０】
上述したように、ＩＤタグホルダー収納部材Ｃ１の挿入用開口ｃ１を、蓋体Ｒで被蓋するように構成することにより、ＩＤタグホルダー収納部材Ｃ１に収納されているＩＤタグホルダー部材Ｈ１が、ＩＤタグホルダー収納部材Ｃ１から抜け出るようなことを、確実に防止することができる。なお、蓋体Ｒを構成する板材ｒ１には、必要に応じて、透孔を穿設し、ＩＤタグホルダー収納部材Ｃ１内に入った雨水や洗浄液を排出することができるように構成することもできる。
【図面の簡単な説明】
【００５１】
【図１】図１は、本発明の合成樹脂製パレットの斜視図である。
【図２】図２は、本発明の合成樹脂製パレットの隅桁付近の部分斜視図である。
【図３】図３は、本発明の合成樹脂製パレットの隅桁付近の部分裏面斜視図である。
【図４】図４は、本発明の合成樹脂製パレットの隅桁付近の一部断面を含む部分斜視図である。
【図５】図５は、本発明の合成樹脂製パレットに収容されるＩＤタグホルダー部材の展開平面図である。
【図６】図６は、図５に示されているＩＤタグホルダー部材の展開正面図である。
【図７】図７は、図５に示されているＩＤタグホルダー部材の斜視図である。
【図８】図８は、同じく図５に示されているＩＤタグホルダー部材の斜視図である。
【図９】図９は、図７に示されているＩＤタグホルダー部材の一部断面を含む部分拡大斜視図である。
【図１０】図１０は、本発明の合成樹脂製パレットにＩＤタグホルダー部材が収容される前の隅桁付近及びＩＤタグホルダー部材の斜視図である。
【図１１】図１１は、ＩＤタグホルダー部材が収容された状態の本発明の合成樹脂製パレットの隅桁の部分水平断面図である。
【図１２】図１２は、図１１と同様のＩＤタグホルダー部材が収容された状態の本発明の合成樹脂製パレットの隅桁の部分水平断面図である。
【図１３】図１３は、ＩＤタグホルダー部材が収容された状態の本発明の合成樹脂製パレットの隅桁付近の一部断面を含む部分斜視図である。
【図１４】図１４は、ＩＤタグホルダー部材が収容された状態の本発明の合成樹脂製パレットの隅桁付近の部分裏面斜視図である。
【図１５】図１５は、本発明の合成樹脂製パレットに収容される別の実施例のＩＤタグホルダー部材の展開正面図である。
【図１６】図１６は、図１５に示されているＩＤタグホルダー部材の斜視図である。
【図１７】図１７は、本発明の合成樹脂製パレットに、図１６に示されているＩＤタグホルダー部材が収容される前の隅桁付近及びＩＤタグホルダー部材の斜視図である。
【図１８】図１８は、本発明の合成樹脂製パレットに、図１６に示されているＩＤタグホルダー部材が収容された状態の隅桁付近の一部断面を含む正面図である。
【図１９】図１９は、本発明の合成樹脂製パレットに収容される更に別の実施例のＩＤタグホルダー部材の斜視図である。
【図２０】図２０は、図１９に示されているＩＤタグホルダー部材の部分拡大斜視図である。
【図２１】図２１は、本発明の合成樹脂製パレットに、図１９に示されているＩＤタグホルダー部材が収容される前の隅桁付近及びＩＤタグホルダー部材の斜視図である。
【図２２】図２２は、本発明の合成樹脂製パレットに、図１９に示されているＩＤタグホルダー部材が収容された状態の隅桁付近の一部断面を含む正面図である。
【図２３】図２３は、本発明の合成樹脂製パレットに形成されたＩＤタグホルダー収納部材を被蓋するための蓋体等の斜視図である。
【図２４】図２４は、本発明の合成樹脂製パレットに形成されたＩＤタグホルダー収納部材が蓋体で被蓋された状態の斜視図である。
【符号の説明】
【００５２】
Ｃ１、Ｃ２、Ｃ３・・・・・・・・・ＩＤタグホルダー収納部材
ｃ１・・・・・・・・・・・・・・・挿入用開口
ｃ２・・・・・・・・・・・・・・・幅広側壁
ｃ３・・・・・・・・・・・・・・・幅狭側壁
ｃ４・・・・・・・・・・・・・・・底板
Ｈ１、Ｈ２、Ｈ３・・・・・・・・・ＩＤタグホルダー部材
Ｔ・・・・・・・・・・・・・・・・ＩＤタグホルダー
１・・・・・・・・・・・・・・・・上部デッキ
２・・・・・・・・・・・・・・・・下部デッキ
３・・・・・・・・・・・・・・・・隅桁
４・・・・・・・・・・・・・・・・中間桁
５・・・・・・・・・・・・・・・・中央桁
６・・・・・・・・・・・・・・・・フォーク挿入通路
７・・・・・・・・・・・・・・・・透孔
８・・・・・・・・・・・・・・・・ＩＤタグ
【図１】
2005280784.tif 000003
【図２】
2005280784.tif 000004
【図３】
2005280784.tif 000005
【図４】
2005280784.tif 000006
【図５】
2005280784.tif 000007
【図６】
2005280784.tif 000008
【図７】
2005280784.tif 000009
【図８】
2005280784.tif 000010
【図９】
2005280784.tif 000011
【図１０】
2005280784.tif 000012
【図１１】
2005280784.tif 000013
【図１２】
2005280784.tif 000014
【図１３】
2005280784.tif 000015
【図１４】
2005280784.tif 000016
【図１５】
2005280784.tif 000017
【図１６】
2005280784.tif 000018
【図１７】
2005280784.tif 000019
【図１８】
2005280784.tif 000020
【図１９】
2005280784.tif 000021
【図２０】
2005280784.tif 000022
【図２１】
2005280784.tif 000023
【図２２】
2005280784.tif 000024
【図２３】
2005280784.tif 000025
【図２４】
2005280784.tif 000026